(57)【要約】【課題】通帳のＭＳデータの磁気強度の劣化を放置することなく、ＭＳデータを復元し得る通帳プリンタ、自動取引装置、ＭＳデータ復元システム及びＭＳデータの復元方法を提供する。【解決手段】  自動取引装置１０は、通帳１のＭＳ２から磁気データとして記憶されているＭＳデータを読み出すと共に、通帳１のＭＳ２に磁気データとしてＭＳデータを書き込むＭＳリーダライタと、取引内容を通帳１に印字する印字部１１ｂと、を有する通帳プリンタと、表示操作部と、制御部と、を有し、制御部は、ＭＳデータが正しいか否かを判定し、正しくない場合に、ＭＳリーダライタから正しいＭＳデータが読み出されるまで所定回数、ＭＳデータの読み出しを行わせ、正しく読み出せたＭＳデータを通帳１のＭＳ２に磁気データとして書き込む。これにより、通帳１のＭＳ２に記憶された磁気データの磁気強度の劣化が放置されることなく、ＭＳデータを復元することが可能になる。【選択図】図１
2016143168.tif 000002
【特許請求の範囲】
【請求項１】
通帳の磁気ストライプに記憶された磁気データを読み取ってＭＳデータを出力すると共に、入力されるＭＳデータを前記通帳の磁気ストライプに書き込んで前記磁気データとして記憶させるＭＳリーダライタと、前記通帳に取引内容を印字する印字部と、を有し、
前記ＭＳリーダライタは、
最初の読み取り指示であるリード指示、及び２回目以降の読み取り指示であるリリード指示に従って前記磁気ストライプに記憶された磁気データを読み取って前記ＭＳデータを出力すると共に、リリードにより正しく読み取れたＭＳデータ及びＭＳデータ復元の指示を受けると、前記通帳の磁気ストライプに前記リリードにより正しく読み取れたＭＳデータを書き込んで前記磁気データとして記憶させることを特徴とする通帳プリンタ。
【請求項２】
通帳の磁気ストライプに記憶される磁気データを読み出してＭＳデータを出力すると共に、ＭＳデータを書き込んで前記通帳の磁気ストライプに磁気データとして記憶されるＭＳリーダライタと、前記通帳に取引内容を印字する印字部と、を有する通帳プリンタと、
操作ガイド情報を表示すると共に取引を受付ける表示操作部と、
前記ＭＳリーダライタが出力する前記ＭＳデータが正しいか否かを判定し、正しくない場合に、前記ＭＳリーダライタから正しいＭＳデータが出力されるまで２回目以降の読み取りの指示であるリリード指示を所定回数行い、リリードによるＭＳデータが正しいと判定したとき、前記ＭＳリーダライタに対してリリードにより正しく読み取られたＭＳデータを前記通帳の磁気ストライプに前記磁気データとして書き込むＭＳデータ復元の指示を行う制御部と、
を有することを特徴とする自動取引装置。
【請求項３】
前記自動取引装置は、更に、前記通帳の磁気ストライプから読み出したＭＳデータ中の口座番号及び店番号等に対応する口座情報が記憶された口座元帳にアクセス可能なホストコンピュータと電文の送受信を行う通信部を有し、
２回目以降の読み取りであるリリードによりＭＳデータが正しく読み取れた場合は、前記リリードによって正しく読み取れたＭＳデータを含む取引要求電文を前記自動取引装置から前記ホストコンピュータへ送信し、
前記制御部は、
前記通信部が前記ホストコンピュータからの前記取引要求電文に対する取引の許可を示す取引応答電文の受信するのを待って、前記リリードにより正しく読み取れたＭＳデータに基づいてＭＳデータ復元の指示を前記ＭＳリーダライタに対して行うことを特徴とする請求項２に記載の自動取引装置。
【請求項４】
前記制御部は、更に、
前記所定回数リリードしても正しいＭＳデータが出力されない場合には、前記通帳の磁気ストライプを構成するＭＳ磁気媒体が異常であると判断し、前記表示操作部に前記通帳の交換を促すガイド情報を表示させることを特徴とする請求項２に記載の自動取引装置。
【請求項５】
自動取引装置とホストコンピュータとが通信回線で接続された自動取引システムにおける通帳の磁気ストライプに記憶された磁気データの復元システムであって、
前記自動取引装置は、
前記通帳の磁気ストライプに記憶される磁気データを読み出してＭＳデータを出力すると共に、ＭＳデータを書き込んで前記通帳の磁気ストライプに磁気データとして記憶されるＭＳリーダライタと、前記通帳に取引内容を印字する印字部と、を有する通帳プリンタと、
操作ガイド情報を表示すると共に取引を受付ける表示操作部と、
前記ＭＳリーダライタが出力するＭＳデータが正しいか否かを判定し、正しくない場合に、前記ＭＳリーダライタから正しいＭＳデータが出力されるまで２回目以降の読み取り指示であるリリード指示を前記ＭＳリーダライタに対して所定回数行い、リリードによるＭＳデータが正しいと判定したとき、前記リリードにより正しく読み取れたＭＳデータに基づく磁気データの復元の指示を前記ＭＳリーダライタに対して行う制御部と、を有し、
前記ホストコンピュータは、前記自動取引装置からＭＳデータを含む取引要求電文を受信すると、前記ＭＳデータ中の口座番号及び店番号に対応する口座情報が記憶されている口座元帳を参照して、前記ＭＳデータが正当であるか否かを判断し、正当であると判断した場合には、前記取引要求電文に対する取引の許可を示す取引応答電文を返信し、
前記自動取引装置は、前記ホストコンピュータから前記取引要求電文に対する取引応答電文を受信すると、前記通帳の磁気ストライプにリリードにより正しく読み取れた前記ＭＳデータを磁気データとして書き込むＭＳデータを復元することを特徴とするＭＳデータ復元システム。
【請求項６】
通帳の磁気ストライプに記憶された磁気データを読み取ったＭＳデータが正しいか否かを判定する第１処理と、
前記ＭＳデータが正しくない場合に、前記ＭＳデータが正しく読み取れるまで所定回数リリードする第２処理と、
２回目以降の読み取りであるリリードにより前記ＭＳデータが正しく読み取れた場合に、リリードによって正しく読み取れたＭＳデータの正当性を確認する第３処理と、
前記リリードにより正しく読み取れたＭＳデータの正当性が確認できた場合に、正当性が確認されたＭＳデータを前記通帳の磁気ストライプに磁気データとして書き込む第４処理と、
を有することを特徴とするＭＳデータの復元方法。
【請求項７】
前記通帳の磁気ストライプに前記正当性が確認されたＭＳデータが正しく書き込まれたか否かを確認する第５処理を更に有することを特徴とする請求項６に記載のＭＳデータの復元方法。
【発明の詳細な説明】
【技術分野】
【０００１】
本発明は、通帳プリンタ、自動取引装置、ＭＳデータ復元システム及びＭＳデータの復元方法に関する。
【背景技術】
【０００２】
特許文献１では、通帳を使用した取引中に、磁気ストライプ（ＭＳ）に磁気データとして記憶されたＭＳデータの読み取りエラーが発生した場合、通帳情報及び取引印字情報と、カード情報と、暗証番号の情報をセンタのホストコンピュータへ送り、通帳のＭＳデータの復元又は通帳の再発行を要求し、ホストコンピュータからの許可情報が通知された場合、ホストコンピュータが記憶する口座元帳の情報に基づいて通帳のＭＳデータの復元、又は通帳の再発行を行う自動取引装置及び記録媒体が提案されている。
【０００３】
又、特許文献２では、磁気カードを使用した取引中に磁気カードのＭＳデータの読み取りにおいて、ＭＳデータの磁気強度レベルが閾値以下であり、かつ、リードできなかった場合に、使用者にＭＳ磁気媒体の異常を知らせるカードリーダが提案されている。
【先行技術文献】
【特許文献】
【０００４】
【特許文献１】特開２０００−１８７７５６号公報
【特許文献２】特開２００６−３３８４０４号公報
【発明の概要】
【発明が解決しようとする課題】
【０００５】
特許文献１は、ホストコンピュータから受信したＭＳデータにより復元を行っており、通帳プリンタに内蔵されているＭＳリーダライタ自体で、通帳のＭＳデータの劣化を復元していない。又、特許文献２は、ＭＳ磁気媒体の異常を知らせるのみで、ＭＳデータの復元は行っていない。磁気強度の劣化でＭＳデータの読み取りエラーが発生した場合、ＭＳデータの読み取りを複数回読み取る（リリードする）ことで通帳取引の延命を図っている。そのため、ＭＳの磁気強度の劣化が放置され、次に、通帳プリンタを使用した場合、ＭＳデータの読み取りに失敗する可能性が高くなっていた。
【０００６】
そこで、本発明は、通帳のＭＳデータの磁気強度の劣化を放置することなく、ＭＳデータを復元し得る通帳プリンタ、自動取引装置、ＭＳデータ復元システム及びＭＳデータの復元方法を提供することを目的とする。
【課題を解決するための手段】
【０００７】
本発明の第１側面の通帳プリンタは、通帳の磁気ストライプに記憶された磁気データを読み取ってＭＳデータを出力すると共に、入力されるＭＳデータを前記通帳の磁気ストライプに書き込んで前記磁気データとして記憶させるＭＳリーダライタと、前記通帳に取引内容を印字する印字部と、を有し、前記ＭＳリーダライタは、最初の読み取り指示であるリード指示、及び２回目以降の読み取り指示であるリリード指示に従って前記磁気ストライプに記憶された磁気データを読み取って前記ＭＳデータを出力すると共に、リリードにより正しく読み取れたＭＳデータ及びＭＳデータ復元の指示を受けると、前記通帳の磁気ストライプに前記リリードにより正しく読み取れたＭＳデータを書き込んで前記磁気データとして記憶させることを特徴とする。
【０００８】
第２側面の自動取引装置は、通帳の磁気ストライプに記憶される磁気データを読み出してＭＳデータを出力すると共に、ＭＳデータを書き込んで前記通帳の磁気ストライプに磁気データとして記憶されるＭＳリーダライタと、前記通帳に取引内容を印字する印字部と、を有する通帳プリンタと、操作ガイド情報を表示すると共に取引を受付ける表示操作部と、前記ＭＳリーダライタが出力する前記ＭＳデータが正しいか否かを判定し、正しくない場合に、前記ＭＳリーダライタから正しいＭＳデータが出力されるまで２回目以降の読み取りの指示であるリリード指示を所定回数行い、リリードによるＭＳデータが正しいと判定したとき、前記ＭＳリーダライタに対してリリードにより正しく読み取られたＭＳデータを前記通帳の磁気ストライプに前記磁気データとして書き込むＭＳデータ復元の指示を行う制御部と、を有することを特徴とする。
【０００９】
第３側面のＭＳデータ復元システムは、自動取引装置とホストコンピュータとが通信回線で接続された自動取引システムにおける通帳の磁気ストライプに記憶された磁気データの復元システムであって、前記自動取引装置は、前記通帳の磁気ストライプに記憶される磁気データを読み出してＭＳデータを出力すると共に、ＭＳデータを書き込んで前記通帳の磁気ストライプに磁気データとして記憶されるＭＳリーダライタと、前記通帳に取引内容を印字する印字部と、を有する通帳プリンタと、操作ガイド情報を表示すると共に取引を受付ける表示操作部と、前記ＭＳリーダライタが出力するＭＳデータが正しいか否かを判定し、正しくない場合に、前記ＭＳリーダライタから正しいＭＳデータが出力されるまで２回目以降の読み取り指示であるリリード指示を前記ＭＳリーダライタに対して所定回数行い、リリードによるＭＳデータが正しいと判定したとき、前記リリードにより正しく読み取れたＭＳデータに基づく磁気データの復元の指示を前記ＭＳリーダライタに対して行う制御部と、を有し、前記ホストコンピュータは、前記自動取引装置からＭＳデータを含む取引要求電文を受信すると、前記ＭＳデータ中の口座番号及び店番号に対応する口座情報が記憶されている口座元帳を参照して、前記ＭＳデータが正当であるか否かを判断し、正当であると判断した場合には、前記取引要求電文に対する取引の許可を示す取引応答電文を返信し、前記自動取引装置は、前記ホストコンピュータから前記取引要求電文に対する取引応答電文を受信すると、前記通帳の磁気ストライプにリリードにより正しく読み取れた前記ＭＳデータを磁気データとして書き込むＭＳデータを復元することを特徴とする。
【００１０】
第４側面のＭＳデータの復元方法は、通帳の磁気ストライプに記憶された磁気データを読み取ったＭＳデータが正しいか否かを判定する第１処理と、前記ＭＳデータが正しくない場合に、前記ＭＳデータが正しく読み取れるまで所定回数リリードする第２処理と、２回目以降の読み取りであるリリードにより前記ＭＳデータが正しく読み取れた場合に、リリードによって正しく読み取れたＭＳデータの正当性を確認する第３処理と、前記リリードにより正しく読み取れたＭＳデータの正当性が確認できた場合に、正当性が確認されたＭＳデータを前記通帳の磁気ストライプに磁気データとして書き込む第４処理と、を有することを特徴とする。
【発明の効果】
【００１１】
本発明の通帳プリンタ、自動取引装置、ＭＳデータ復元システム及びＭＳデータの復元方法によれば、通帳プリンタが有するＭＳリーダライタは、最初の読み取り指示であるリード指示及び２回目以降の読み取り指示であるリリード指示に従って、通帳の磁気ストライプに記憶された磁気データを読み取ってＭＳデータを出力すると共に、リリードにより正しく読み取れたＭＳデータ及びＭＳデータ復元の指示を受けて、通帳の磁気ストライプにリリードにより正しく読み取れたＭＳデータを書き込んで磁気データとして記憶さるようにしている。これにより、通帳のＭＳデータの磁気強度の劣化が放置することなく、ＭＳリーダライタ自体でＭＳデータを復元し得る通帳プリンタ、自動取引装置、ＭＳデータ復元システム及びＭＳデータの復元方法を提供することが可能になる。
【図面の簡単な説明】
【００１２】
【図１】本発明の実施形態のＭＳデータ復元システムを示すシステム構成図
【図２】図１中の自動取引装置の表示画面の一例（その１）を示す図
【図３】図１中の自動取引装置の表示画面の一例（その２）を示す図
【図４】通帳ＭＳのフォーマット及び電文フォーマットの一例を示す図
【図５】口座元帳の一例を示す図
【図６】本発明の実施形態の通帳記帳取引の処理を示すフローチャート（その１）
【図７】本発明の実施形態の通帳記帳取引の処理を示すフローチャート（その２）
【図８】本発明の実施形態のホストの取引処理を示すフローチャート
【発明を実施するための形態】
【００１３】
以下に本発明の実施形態について図面を参照しながら詳細に説明する。
【００１４】
（システムの構成）
図１は、本発明の実施形態のＭＳデータ復元システムを示すシステム構成図である。
【００１５】
本発明のＭＳデータ復元システムは、自動取引装置１０と、ネットワーク２０を介して通信可能に接続されたホストコンピュータ３０とにより構成されている。
【００１６】
ホストコンピュータ３０は、ホストコンピュータ全体を制御するホスト制御部３１と、口座元帳３２ａ等を記憶するホスト記憶部３２と、自動取引装置１０とホストコンピュータ３０との間でネットワーク２０を介して電文を送受信するインタフェースとしてのホスト通信部３３と、を有している。口座元帳３２ａの詳細については後述する。
（自動取引装置の構成）
自動取引装置１０は、通帳プリンタ１１と、操作ガイドの表示及び取引種別の選択等の操作を受け付ける表示操作部としてのタッチパネルディスプレイ（以下、「タッチパネル」という。）１２と、装置全体を制御する制御部１３と、を有している。
【００１７】
通帳プリンタ１１は、通帳１の裏表紙に貼付されている磁気ストライプ（ＭＳ）２に磁気データとして記憶されているＭＳデータの読み書きを行うＭＳリーダライタ１１ａと、自動取引装置１０による取引内容を通帳１に印字する印字部１１ｂと、を有している。
【００１８】
ＭＳリーダライタ１１ａは、図示しない通帳挿入出口から通帳１が挿入され、制御部１３から最初の読み取り指示であるリード指示を受けると、通帳１に貼付されているＭＳ２に記憶された磁気データを読み取ってＭＳデータを出力すると共に、制御部１３からＭＳデータ及び書き込みの指示を受けると、ＭＳデータを通帳１のＭＳ２に磁気データとして書き込んで記憶させる。又、ＭＳリーダライタ１１ａは、制御部１３から２回目以降の読み取り指示であるリリード指示を受けると、通帳１のＭＳ２に記憶された磁気データを複数回読み取ってＭＳデータを出力する。更に、ＭＳリーダライタ１１ａは、制御部１３からリリードにより正しく読み取れたＭＳデータ及びＭＳデータ復元の指示を受けると、通帳１のＭＳ２にリリードにより正しく読み取れたＭＳデータを書き込んで磁気データとして記憶させる。
【００１９】
印字部１１ｂは、自動取引装置１０により行われた取引内容を通帳１に印字する部位であるが、この取引内容には、直近に行われた取引内容に加え、キャッシュカードのみにより行われた等の通帳１へ未記帳の取引内容も含まれている。
【００２０】
制御部１３は、タッチパネル１２から行われる取引種別の選択等の操作を検出する検出部１５と、ＭＳリーダライタ１１ａから入力されるＭＳデータが正しく読み取られたＭＳデータか否かを判定する判定部１６と、ＭＳリーダライタ１１ａにＭＳデータの読み出し及び書き込みの指示を行うリーダライタ制御部１７と、タッチパネル１２に表示する画面データ、及びプログラムを記憶すると共に、ＭＳデータを一時的に保管する記憶部１８と、自動取引装置１０とホストコンピュータ３０との間でネットワーク２０を介して電文を送受信するインタフェースとしての通信部１９と、を有している。
【００２１】
ここで、判定部１６がＭＳデータをＭＳリーダライタ１１ａにより正しく読み取られたか否かを判定する方法について説明する。
【００２２】
通帳１の裏表紙には、通帳の挿入排出方向が長手方向になるようにフェライト等の磁性材料で形成された略矩形形状をした磁気ストライプＭＳ２が貼付されている。ＭＳ２には、長手方向に沿って所定の線密度で磁性材料をＮ極又はＳ極に磁化することにより磁気データが記憶されている。
【００２３】
ＭＳリーダライタ１１ａは、通帳１をＭＳ２の長手方向に一定速度で移動しながら、“１”又は“０”の配列からなるＭＳデータについて、例えば、ＭＳデータ中の“１”に対して所定の磁気強度のＮ極に磁化し、ＭＳデータ中の“０”を所定の磁気強度のＳ極に磁化することによりＭＳ２に磁気データを書き込む。又、ＭＳリーダライタ１１ａは、長手方向に沿って所定の磁気強度のＮ極又はＳ極が配列され磁気データが記憶されたＭＳ２を長手方向に一定速度で移動しながら、例えば、磁気強度を電圧（電流）に変換して閾値電圧(電流）と比較して判定する。ＭＳリーダライタ１１ａは、判定の結果、Ｎ極であれば“１”、Ｓ極であれば“０”としてＭＳデータを読み取る。しかし、例えば、テレビ、ステレオ機器等の磁気のあるところに置かれると、磁気強度が弱まり、ＭＳデータが正しく読み取れなくなることがある。
【００２４】
これに対し、判定部１６は、通帳１のＭＳ２からＭＳリーダライタ１１ａが読み取ったＭＳデータが正しく読み取れたか否かの判定を行っている。ＭＳデータが正しく読み取れたか否かの判定は、例えば、正方向で読み取ったＭＳデータと逆方向で読み取ったＭＳデータを比較して一致していれば、ＭＳデータが正しく読み取れたと判定することができる。磁気強度が弱くなると、磁気強度を電圧（電流）に変換して閾値電圧（電流）と比較したときのデータの変化点の位置がずれ、正方向で読み取ったＭＳデータと逆方向で読み取ったＭＳデータとが一致しなくなるため、正方向で読み取ったＭＳデータと逆方向で読み取ったＭＳデータとが一致した場合には、ＭＳデータは正しく読み取れていると判定することができる。
【００２５】
更に、判定部１６は、所定回数リリードしても正しいＭＳデータが出力されない場合、通帳１のＭＳ２を構成するＭＳ磁気媒体が異常であると判断する。判定部１６がＭＳ磁気媒体が異常であると判断すると、制御部１３は、所定回数リリードしても正しいＭＳデータが出力されない場合に、通帳１のＭＳ２を構成するＭＳ磁気媒体が異常であると判断し、タッチパネル１２に通帳１の交換を促すガイド情報を表示させる。
【００２６】
リーダライタ制御部１７は、ＭＳデータが正しくない場合に、ＭＳリーダライタ１１ａから正しいＭＳデータが出力されるまで２回目以降の読み取りの指示であるリリード指示を所定回数行い、リリードによるＭＳデータが正しいと判定部１６が判定したとき、ＭＳリーダライタ１１ａに対してリリードにより正しく読み取られたＭＳデータを通帳１のＭＳ２に磁気データとして書き込むＭＳデータ復元の指示を行う。判定部１６は、ＭＳデータ復元の指示を受けて通帳１のＭＳ２にＭＳデータが磁気データとして書き込まれた場合に、ＭＳデータの書き込みに成功したか否かを判定する。通帳１のＭＳ２へのＭＳデータの書き込みに成功したか否かの判定は、例えば、ＭＳ２に書き込まれた磁気強度の最大値が所定値以上でであるか否かにより判定する。尚、ここでの所定値は、ＭＳリーダライタ１１ａによりＭＳデータを読み取る際の閾値よりも周囲雑音等に対するマージンを加えた、大きな値に設定される。
【００２７】
（自動取引装置の画面表示）
図２（ａ）〜（ｄ）は、図１中の自動取引装置１０のタッチパネル１２の画面の表示例（その１）を示す図である。
【００２８】
図２（ａ）は、取引種別選択画面の表示例であり、タッチパネル１２の画面上に、「いらっしゃいませ」というガイダンスの表示と、取引種別として、「支払」、「預入」、「残高照会」、「通帳記帳」、「振込」、「振替」の選択キーが表示されている。例えば、太線が囲まれている「通帳記帳」が選択されると、タッチパネル１２上の画面が図２（ｂ）に示された通帳挿入画面に遷移する。
【００２９】
図２（ｂ）は、通帳挿入画面の表示例であり、「通帳のページを開いて挿入して下さい」という操作ガイダンスが表示されている。タッチパネル１２に図２（ｂ）に示された画面が表示されている時に、図示しない通帳挿入出口からページを開いた通帳１が挿入されると、ＭＳリーダライタ１１ａにより、通帳１に貼付されているＭＳ２のＭＳデータが読み取られ、ＭＳデータが正しく読み取れた時は、自動取引装置１０からホストコンピュータ３０へ後述する記帳要求電文が送信され、タッチパネル１２上の画面が図２（ｃ）に示されたコンピュータ照会中の画面に遷移する。
【００３０】
図２（ｃ）は、コンピュータ照会中の表示例であり、「お取引をしております  しばらくお待ち下さい」という操作ガイダンスが表示されている。ホストコンピュータ３０から自動取引装置１０へ後述する記帳応答電文が返信されると、自動取引装置１０は、記帳応答電文中の未記帳データに基づいて、通帳１に未記帳の取引内容を印字し、タッチパネル１２上の画面が図２（ｄ）に示された通帳返却画面に遷移する。
【００３１】
図２（ｄ）は、通帳返却画面の表示例であり、「通帳をお受け取り下さい」という操作ガイダンスが表示されている。
【００３２】
図３（ａ），（ｂ）は、図１中の自動取引装置１０のタッチパネル１２の画面の表示例（その２）を示す図である。
【００３３】
タッチパネル１２に図２（ｄ）に示された画面が表示されている時に、図示しない通帳挿入出口から通帳１が抜き取られると、タッチパネル１２上の画面が図３（ａ）に示された「ありがとうございました」という終了の挨拶が表示された取引終了画面に遷移する。
【００３４】
図３（ｂ）は、通帳ＮＧ媒体返却画面の表示例であり、「この通帳はお取扱いできません  通帳をお取りになり窓口へお越し下さい」という通帳１の交換を促す操作ガイダンスが表示されている。図３（ｂ）に示された画面は、判定部１６が所定回数リリードしてもＭＳデータがリードできずにＭＳ磁気媒体が異常であると判断した場合等に表示される。
【００３５】
（データフォーマットの例）
図４（ａ）〜（ｃ）は、通帳ＭＳのフォーマット及び電文フォーマットの一例を示す図である。
【００３６】
図４（ａ）は、通帳１に貼付されているＭＳ２のデータフォーマットの一例を示す図であり、ＭＳ２には、「銀行番号」（００１）、「店番号」（１２３）、「口座番号」（０１２３４５６）、「科目」（０１）、「その他の情報」から構成されているＭＳデータが磁気データとして記憶されている。
【００３７】
図４（ｂ）は、自動取引装置１０からホストコンピュータ３０へ送信される「記帳要求電文」の電文フォーマット例が示されている。「記帳要求電文」には、「電文種別」（１０）、「店番号」（１２３）、「口座番号」（０１２３４５６）、「科目」（０１）、「暗証番号」（７８９０）の情報が格納されている。
【００３８】
図４（ｃ）は、ホストコンピュータ３０から自動取引装置１０へ送信される「記帳応答電文」の電文フォーマット例が示されている。「記帳応答電文」には、「電文種別」（１１）、「口座残高」（100,000）、「未記帳データ」（26-12-20、○○支店、支払、12,000；26-12-21、××支店、振替、15,000、△△ガス）の情報が格納されている。未記帳データは、取引日(平成26年12月20日)に、取引店舗（○○支店）で取引種別（支払）の金額(￥12,000)の取引が行われたことを示しており、「未記帳データ」中の「；」は未記帳の1回分の取引を示す区切りである。
【００３９】
（ホスト記憶部の情報）
図５は、口座元帳３２ａの一例を示す図であり、ホスト記憶部３２には、「店番号」、「口座番号」、及び「科目」、「口座残高」及び「未記帳データ」が記憶されている。例えば、「店番号」（１２３）、「口座番号」（０１２３４５６）、及び「科目」（０１）、「口座残高」（￥100,000）及び「未記帳データ」（26-12-20、○○支店、支払、￥12,000；26-12-21、××支店、振替、￥15,000、△△ガス）が記憶されている。又、「店番号」（５６７）、「口座番号」（４５６７８９０）、及び「科目」（０１）、「口座残高」（￥200,000）及び「未記帳データ」（26-12-20、※※支店、入金、￥50,000）が記憶されている。
【００４０】
（実施形態の動作）
本発明の実施形態のＭＳデータの復元方法の動作について、（Ｉ）自動取引装置における処理と、（II）ホストコンピュータにおける処理と、に分けて説明する。
【００４１】
（Ｉ）自動取引装置における処理
図６は、本発明の実施形態の通帳記帳取引の処理を示すフローチャート（その１）であり、通帳１のＭＳ２に磁気データとして記憶されたＭＳデータを正しく読み取れたか否かを判定する第１処理と、ＭＳデータがリードできなかった場合に、ＭＳデータを正しく読み取れたと判定されるまで所定回数、ＭＳデータの読み取りを行う第２処理と、を含んでいる。
【００４２】
図１〜図３を参照しつつ図６に示されたフローチャートに沿って、ＭＳデータの復元方法の第１及び第２処理について説明する。
【００４３】
自動取引装置１０における処理が開始されると、ステップＳ１へ進み、制御部１３はタッチパネル１２に図２（ａ）の取引種別選択画面を表示し、ステップＳ２へ進む。ステップＳ２において、検出部１５は、図２（ａ）の取引種別選択画面に表示された取引キーが押下されるのを待って（ＹＥＳ）、ステップＳ３へ進む。ステップＳ３において、検出部１５は、押下された取引キーが「通帳記帳」キーか否かを判定し、取引キーが「通帳記帳」キー以外のときは（ＮＯ）、ステップＳ４へ進み、取引キーが「通帳記帳」キーのときは（ＹＥＳ）、ステップＳ５へ進む。ステップＳ４へ進むと、自動取引装置１０は、その他の処理を実行し、ステップＳ１へ戻る。
【００４４】
ステップＳ５において、制御部１３はタッチパネル１２に図２（ｂ）の通帳挿入画面を表示し、ステップＳ６へ進む。ステップＳ６において、図示しない通帳挿入出口から、図２（ｂ）に示された画面上の操作ガイダンス「通帳のページを開いて挿入して下さい」に従って、ページを開いた通帳１が挿入されるのを待って（ＹＥＳ）、ステップＳ７へ進む。
【００４５】
ステップＳ７において、判定部１６内の図示しないＭＳ読取カウンタが“０”にセットされ、ステップＳ８へ進む。ステップＳ８において、リーダライタ制御部１７は、ＭＳリーダライタ１１ａに通帳１に貼付されているＭＳ２に記憶されている磁気データからＭＳデータを読み取らせて、ステップＳ９へ進む。
【００４６】
ステップＳ９において、判定部１６は、読み取られたＭＳデータが正しく読み取れたか否かを判定し、正しく読み取れないときは（ＹＥＳ）、ステップＳ１０へ進み、正しく読み取れたときは（ＮＯ）、結合子（３）を介して図７のステップＳ２１へ進む。
【００４７】
ステップＳ１０に進むと、判定部１６内の図示しないＭＳ読取カウンタのカウンタ数に１が加算され、ステップＳ１１へ進む。ステップＳ１１において、判定部１６は、ＭＳ読取カウンタのカウンタ数が所定値より大きいか否かを判定し、大きい場合は（ＹＥＳ）、ステップＳ１２へ進み、ＭＳ読取カウンタのカウンタ数が所定値以下である場合は（ＮＯ）、ステップＳ８へ戻る。ここで、所定値が例えば、３である場合には、ＭＳ読取カウンタのカウンタ数が所定値３より大きい４となるまで、ステップＳ８〜Ｓ１１の処理を繰り返す。
【００４８】
ステップＳ１２において、制御部１３はタッチパネル１２に図３（ｂ）の通帳ＮＧ媒体返却画面を表示し、結合子（２）を介して図７のステップＳ３１へ進む。
【００４９】
ＭＳ読取カウンタのカウンタ数が所定値３より大きい４となるまでに、ステップＳ９において、ＭＳデータが正しく読み取れたときは（ＮＯ）、結合子（３）を介して図７のステップＳ２１へ進む。
【００５０】
図７は、本発明の実施形態の通帳記帳取引の処理を示すフローチャート（その２）であり、リリードによりＭＳデータが正しく読み取れた場合は、リリードによって正しく読み取れたＭＳデータを自動取引装置１０からホストコンピュータ３０へ送信する第３処理と、ホストコンピュータ３０からの復元許可の応答を待って、通帳１のＭＳ２にリトライによりリリードできたＭＳデータをライトする第４処理と、を含んでいる。
【００５１】
図１〜図４を参照しつつ図７に示されたフローチャートに沿って、ＭＳデータの復元方法の第３及び第４処理について説明する。
【００５２】
図７において、結合子（３）を介してステップＳ２１へ進むと、制御部１３は記帳要求電文を生成し、通信部１９が生成した記帳要求電文をネットワーク２０を介してホストコンピュータ３０へ送信し、ステップＳ２２へ進む。ステップＳ２２において、制御部１３はタッチパネル１２に図２（ｃ）のコンピュータ照会中の画面を表示し、ステップＳ２３へ進む。ステップＳ２３において、後述するホスト通信処理が行われ、ステップＳ２４へ進む。
【００５３】
ステップＳ２４において、自動取引装置１０がホストコンピュータ３０からの記帳応答電文受信を待って（ＹＥＳ）、ステップＳ２５へ進む。ステップＳ２５において、通帳記帳処理が行われる。例えば、ステップＳ２４で図４（ｃ）に示された残高照会許可応答電文を受信すると、応答電文中の未記帳データに基づいて、印字部１１ｂを制御して、通帳１の記帳ページ欄に未記帳の取引を印字し、ステップＳ２６へ進む。
【００５４】
ステップＳ２６において、判定部１６は、ＭＳ読取カウンタのカウンタ数が“０”か否かを判定し、ＭＳ読取カウンタのカウンタ数が“０”でなければ（ＮＯ）、ステップＳ２７へ進み、ＭＳ読取カウンタのカウンタ数が“０”であれば（ＹＥＳ）、ステップＳ２９へ進む。
【００５５】
ステップＳ２７において、リーダライタ制御部１７がＭＳリーダライタ１１ａを制御して、ステップＳ８で正しく読み取れたＭＳデータを通帳１のＭＳ２に書込み、ステップＳ２８へ進む。ステップＳ２８において、通帳１のＭＳ２へのＭＳデータの書き込みが成功したか否かが判定され、ＭＳ書込みが成功であれば（ＹＥＳ）、ステップＳ２９へ進み、ＭＳ書込みが成功でなければ（ＮＯ）、ステップＳ３０へ進む。
【００５６】
ステップ２９に進むと、制御部１３はタッチパネル１２に図２（ｄ）の通帳返却画面を表示し、ステップＳ３１へ進む。ステップ３０に進むと、制御部１３はタッチパネル１２に図３（ｂ）の通帳ＮＧ媒体返却画面を表示し、ステップＳ３１へ進む。
【００５７】
ステップＳ３１において、図示しない通帳挿入出口から通帳１の一部が排出され、ステップＳ３２へ進む。ステップＳ３２において、通帳１が抜き取られるのを待って（ＹＥＳ）、ステップＳ３３へ進む。ステップＳ３３において、制御部１３はタッチパネル１２に図３（ａ）の取引終了画面を表示して、通帳記帳の処理を終了し、ステップＳ１へ戻る。
【００５８】
（II）ホストコンピュータ３０における処理
図８は、本発明の実施形態のホストの取引処理を示すフローチャートである。
【００５９】
図１〜図５を参照しつつ図８に示されたフローチャートに沿って、自動取引装置１０とホストコンピュータ３０との間で行われるホストの取引処理について説明する。
【００６０】
図７中のステップＳ２３のホストの取引処理が開始されると、図８中のステップＳ４１へ進む。ステップＳ４１において、ホストコンピュータ３０内のホスト通信部３３が自動取引装置１０からの取引電文を受信するのを待って（ＹＥＳ）、ステップＳ４２へ進む。ステップＳ４２において、ホスト制御部３１は、受信した取引電文が記帳取引か否かを判定し、通帳取引でなければ（ＮＯ）、ステップＳ４３へ進み、通帳取引であれば（ＹＥＳ）、ステップＳ４４へ進む。ステップＳ４３へ進むと、通帳取引以外の取引処理が行われ、ステップＳ４１へ戻る。
【００６１】
ステップＳ４４へ進むと、ホスト制御部３１は、ホスト記憶部３２内の口座元帳３２ａを参照し、口座残高や未記帳データを収集し、ステップＳ４５へ進む。ステップＳ４５へ進むと、ホスト制御部３１は、記帳応答電文として、例えば、記帳可応答電文を生成し、ステップＳ４６へ進む。ステップＳ４６において、ホスト通信部３１は、ホスト制御部３３が生成した記帳応答電文を自動取引装置１０へ送信し、ホスト通信処理を終了し、図７中のステップＳ２４へ進む。
【００６２】
通帳１のＭＳ２には、銀行番号、店番号、口座番号、科目及びその他の情報が記憶されている。自動取引装置１０において、通帳が関係する取引、例えば、通帳記帳が選択されると、通帳１のＭＳ２に磁気データとして記憶されたＭＳデータが読み出され、正しく読み出されたと判断されると、自動取引装置１０からホストコンピュータ３０に対して、記帳要求電文が送信される。
【００６３】
ホストコンピュータ３０は、記帳要求電文を受信すると、口座元帳を参照し、口座元帳に記帳要求電文中の店番号、及び口座番号等に一致する口座情報が記憶され、記帳要求電文中の暗証番号と口座元帳に記憶された暗証番号と一致する場合に、記帳応答電文を返信する。記帳要求電文中の店番号、口座番号、暗証番号等が一致する情報が口座元帳に記憶されていることを確認することにより、ＭＳデータが正当であることを確認することができる。
【００６４】
（実施形態の効果）
本発明の自動取引装置１０は、通帳１のＭＳ２に磁気データとして記憶されたＭＳデータを読み取って出力すると共に、入力されるＭＳデータを通帳１のＭＳ２に磁気データとして書き込んで記憶させるＭＳリーダライタ１１ａと、通帳１の記帳欄に自動取引装置１０による取引内容を印字する印字部と、を有しており、ＭＳリーダライタ１１ａは、２回目以降の読み取り指示であるリリード指示に従ってＭＳ２に記憶された磁気データを読み取ってＭＳデータを出力すると共に、リリードにより正しく読み取れたＭＳデータ及びＭＳデータ復元の指示を受けると、通帳１のＭＳ２にリリードにより正しく読み取れたＭＳデータを磁気データとして書き込んで記憶させる。これにより、通帳１のＭＳ２の磁気データの磁気強度の劣化が放置することなく、ＭＳリーダライタ１１ａ自体で劣化した磁気データとしてのＭＳデータの復元が可能となる。
【００６５】
又、自動取引装置１０が有する制御部１３は、所定回数リリードしても正しいＭＳデータが出力されない場合には、通帳１のＭＳ２を構成するＭＳ磁気媒体が異常であると判断し、タッチパネル１２に通帳の交換を促すガイド情報を表示させるようにしている。これにより、通帳１のＭＳ２がＭＳ磁気媒体の異常であることを顧客に報知て、窓口へ誘導することができる。
【００６６】
更に、本発明のＭＳデータ復元システム及びＭＳデータの復元方法によれば、所定回数のリリードによりＭＳデータが正しく読み出せた場合、自動取引装置１０からホストコンピュータ３０へ記帳要求電文を送り、その応答である記帳応答電文の受信を待ってリリードによって正しく読み取れたＭＳデータを通帳１のＭＳ２に磁気データとして書き込むようにしている。これにより、復元するＭＳデータの信頼性を確保することができる。
【００６７】
（変形例）
本発明の変形例として、以下の（ａ）、（ｂ）のようなものが考えられる。
【００６８】
（ａ）  本発明の実施形態の説明では、説明の都合上、取引種別選択画面において、通帳記帳が選択された例について説明したが、通帳記帳の取引に限定されない。通帳を用い、通帳に貼付されたＭＳに記憶されているＭＳデータの読み書きを伴う支払等の取引についての適用も可能である。尚、金銭の出し入れが絡む取引の場合は、自動取引装置は、顧客に対して本人認証のための「暗証番号」を要求し、正しい「暗証番号」が入力されると、「暗証番号」が追加された取引要求電文をホストコンピュータへ送信する。これに対し、ホストコンピュータは、口座元帳を参照し、取引要求電文中の「店番号」、「口座番号」及び「暗証番号」が一致する場合に、取引要求電文に対応する取引の許可を示す取引応答電文を自動取引装置に返信することになる。
【００６９】
（ｂ）  本発明の実施形態の説明では、ＭＳデータが正しく読み取れたか否かの判定する方法として、正方向で読み取ったＭＳデータと逆方向で読み取ったＭＳデータとが一致した場合にＭＳデータは正しく読み取れていると判定する方法を例示したが、ＭＳデータが正しく読み取れたか否かの判定方法は、例示された判定方法に限定されない。例えば、磁気強度のピーク値が所定値以上であれば、正しく読み取れたと判定する等の判定方法を適用することもできる。
【００７０】
以上、本発明の実施形態について説明したが、本発明は、以上に述べた実施形態に限定されるものではなく、本発明の趣旨を逸脱しない範囲内で種々の構成又は実施形態を取ることができる。
【符号の説明】
【００７１】
１                                          通帳
２                                          磁気ストライプ（ＭＳ）
１０                                          自動取引装置
１１                                          通帳プリンタ
１１ａ                                        ＭＳリーダライタ
１１ｂ                                        印字部
１２                                          タッチパネルディスプレイ
１３                                          制御部
１５                                          検出部
１６                                          判定部
１７                                          リーダライタ制御部
１８                                          記憶部
１９                                          通信部
２０                                          ネットワーク
３０                                          ホストコンピュータ
３１                                          ホスト制御部
３２                                          ホスト記憶部
３２ａ                                        口座元帳
３３                                          ホスト通信部
【図１】
2016143168.tif 000003
【図２】
2016143168.tif 000004
【図３】
2016143168.tif 000005
【図４】
2016143168.tif 000006
【図５】
2016143168.tif 000007
【図６】
2016143168.tif 000008
【図７】
2016143168.tif 000009
【図８】
2016143168.tif 000010